【事件の表示】
　特許第２７１２０２４号「鼓膜温度計用検鏡カバー」の請求項１ないし５に係る特許に対する特許異議の申立てについて、次のとおり決定する。
【結　論】
　訂正を認める。
　特許第２７１２０２４号の請求項１ないし５に係る特許を維持する。
【理　由】
１．手続の経緯
　特許第２７１２０２４号の発明についての出願は、平成４年９月１９日に特許出願されたものであって、平成９年１０月３１日にその特許の設定登録がなされ、その後、テルモ株式会社より特許異議の申立てがなされ、取消理由通知がなされ、その指定期間内である平成１１年３月３０日に訂正請求がされたものである。
２．訂正の適否についての判断
（１）訂正の内容
　特許権者が求めている訂正の内容は以下のとおりである。
ａ）特許明細書中の特許請求の範囲の請求項１において、「フィルム部材が、前記プローブを挿通させるための開孔が中央に開設されている可撓性の下敷部材に重ね合わされて、その端縁部同士が接着されている」とあるのを、「フィルム部材が、前記プローブを挿通させるための開孔が中央に開設され、かつ、前記プローブからの取り外しを容易にするための反発力を有する可撓性の下敷部材に重ね合わされて、その端縁部同士が、前記プローブからの取り外し時においても接合状態を維持するように接着されている」と訂正する。
ｂ）特許明細書中の特許請求の範囲の請求項２において、「フィルム部材が、前記プローブを挿通させるための開孔が中央に開設されて十字放射状に形成された可撓性の下敷部材に重ね合わされて、その各放射端縁部の四点で相互に接着されている」とあるのを、「フィルム部材が、前記プローブを挿通させるための開孔が中央に開設されて十字放射状に形成され、かつ、前記プローブからの取り外しを容易にするための反発力を有する可撓性の下敷部材に重ね合わされて、その各放射端縁部の四点で前記プローブからの取り外し時においても接合状態を維持するように相互に接着されている」と訂正する。
ｃ）特許明細書中の特許請求の範囲の請求項３において、「フィルム部材が、前記プローブを挿通させるための開孔が中央に開設されて三方に放射状に形成された可撓性の下敷部材に重ね合わされて、その各放射端縁部の三点で相互に接着されている」とあるのを、「フィルム部材が、前記プローブを挿通させるための開孔が中央に開設されて三方に放射状に形成され、かつ、前記プローブからの取り外しを容易にするための反発力を有する可撓性の下敷部材に重ね合わされて、その各放射端縁部の三点で前記プローブからの取り外し時においても接合状態を維持するように相互に接着されている」と訂正する。
ｄ）特許明細書中の特許請求の範囲の請求項４において、「フィルム部材が、前記プローブを挿通させるための開孔が中央に開設されて二方に延びる双葉伏に形成された可撓性の下敷部材に重ね合わされて、その各放射端縁部の二点で相互に接着されている」とあるのを、「フィルム部材が、前記プローブを挿通させるための開孔が中央に開設されて二方に延びる双葉状に形成され、かつ、前記プローブからの取り外しを容易にするための反発力を有する可撓性の下敷部材に重ね合わされて、その各放射端縁部の二点で前記プローブからの取り外し時においても接合状態を維持するように相互に接着されている」と訂正する。
ｅ）明細書の段落【０００９】中の「フィルム部材が、前記プローブを挿通させるための開孔が中央に開設されている可撓性の下敷部材に重ね合わされて、その端縁部同士が接着されている」とあるのを、「フィルム部材が、前記プローブを挿通させるための開孔が中央に開設され、かつ、前記プローブからの取り外しを容易にするための反発力を有する可撓性の下敷部材に重ね合わされて、その端縁部同士が、前記プローブからの取り外し時においても接合状態を維持するように接着されている」と訂正する。
ｆ）明細書の段落【００１０】中の「フィルム部材が、前記プローブを挿通させるための開孔が中央に開設されて十字放射状に形成された可撓性の下敷部材に重ね合わされて、その各放射端縁部の四点で相互に接着されている」とあるのを、「フィルム部材が、前記プローブを挿通させるための開孔が中央に開設されて十字放射状に形成され、かつ、前記プローブからの取り外しを容易にするための反発力を有する可撓性の下敷部材に重ね合わされて、その各放射端縁部の四点で前記プローブからの取り外し時においても接合状態を維持するように相互に接着されている」と訂正する。
ｇ）明細書の段落【００１１】中の「フィルム部材が、前記プローブを挿通させるための開孔が中央に開設されて三方に放射状に形成された可撓性の下敷部材に重ね合わされて、その各放射端縁部の三点で相互に接着されている」とあるのを、「フィルム部材が、前記プローブを挿通させるための開孔が中央に開設されて三方に放射状に形成され、かつ、前記プローブからの取り外しを容易にするための反発力を有する可撓性の下敷部材に重ね合わされて、その各放射端縁部の三点で前記プローブからの取り外し時においても接合状態を維持するように相互に接着されている」と訂正する。
ｈ）明細書の段落【００１２】中の「フィルム部材が、前記プローブを挿通させるための開孔が中央に開設されて二方に延びる双葉状に形成された可撓性の下敷部材に重ね合わされて、その各放射端縁部の二点で相互に接着されている」とあるのを、「フィルム部材が、前記プローブを挿通させるための開孔が中央に開設されて二方に延びる双葉状に形成され、かつ、前記プローブからの取り外しを容易にするための反発力を有する可撓性の下敷部材に重ね合わされて、その各放射端縁部の二点で前記プローブからの取り外し時においても接合状態を維持するように相互に接着されている」と訂正する。
ｉ）明細書の段落【００３１】中の「フィルム部材を、前記プローブを挿通させるための開孔が中央に開設されている可撓性の下敷部材に重ね合わせて、その端縁部同士を接着している」とあるのを、「フィルム部材を、前記プローブを挿通させるための開孔が中央に開設され、かつ、前記プローブからの取り外しを容易にするための反発力を有する可撓性の下敷部材に重ね合わせて、その端縁部同士を、前記プローブからの取り外し時においても接合状態を維持するように接着している」と訂正する。
（２）訂正の目的の適否、新規事項の有無、拡張・変更の存否
　上記（１）ａ）ないしｄ）の訂正については、訂正前の特許請求の範囲の請求項１ないし４における「プローブを挿通させるための開孔が中央に開設されている可撓性の下敷部材」、「端縁部同士が接着されている」を、
「プローブを挿通させるための開孔が中央に開設され、かつ、前記プローブからの取り外しを容易にするための反発力を有する可撓性の下敷部材」、「端縁部同士が、前記プローブからの取り外し時においても接合状態を維持するように接着されている」と限定したものであり、特許請求の範囲の減縮を目的とするものである。
　そして、特許請求の範囲の記載を訂正する、上記（１）ａ）ないしｄ）の構成は、
特許明細書の段落【００１６】「プローブから検鏡カバーを取り外す際には、下敷部材の可撓性による反発力によって容易に取り外すことが可能である。」の記載、段落【００２５】「検鏡カバー１を取り外すには、プローブ３に被嵌しているリング状の受座２ａ（図２参照）をレバー操作等で押し出す。このとき、検鏡カバーの下敷部材が可撓性であるため反発力によって簡単に取り外すことができる。」の記載、段落【００３１】「挿入時には、フィルム部材とした下敷部材は接着されたままであり」の記載から、上記明細書に記載されていることは明らかである。
　また、上記（１）ｅ）ないしｉ）の訂正は、発明の詳細な説明の記載を訂正後の特許請求の範囲の記載と整合させるものであるから、（１）ｅ）ないしｉ）の訂正は明りょうでない記載の釈明を目的とするものである。
　したがって、上記（１）ａ）ないしｉ）の訂正は、願書に添付した明細書または図面に記載した事項の範囲内においてするものであって新規事項を追加するものでなく、かつ、実質上特許請求の範囲を拡張し、又は変更するものではない。
（３）独立特許要件
（３−１）訂正明細書の発明
　訂正明細書の特許請求の範囲の請求項１ないし５に係る発明（以下、「訂正発明１」ないし「訂正発明５」という。）は、訂正明細書における特許請求の範囲の請求項１ないし５に記載された以下のとおりのものである。
「【請求項１】鼓膜温度計のプローブを覆うためのフィルム部材が、前記プローブを挿通させるための開孔が中央に開設され、かつ、前記プローブからの取り外しを容易にするための反発力を有する可撓性の下敷部材に重ね合わされて、その端縁部同士が、前記プローブからの取り外し時においても接合状態を維持するように接着されていることを特徴とする鼓膜温度計用検鏡カバー。
【請求項２】鼓膜温度計のプローブを覆うためのフィルム部材が、前記プローブを挿通させるための開孔が中央に開設されて十字放射状に形成され、かつ、前記プローブからの取り外しを容易にするための反発力を有する可撓性の下敷部材に重ね合わされて、その各放射端縁部の四点で前記プローブからの取り外し時においても接合状態を維持するように相互に接着されていることを特徴とする鼓膜温度計用検鏡カバー。
【請求項３】鼓膜温度計のプローブを覆うためのフィルム部材が、前記プローブを種通させるための開孔が中央に開設されて三方に放射状に形成され、かつ、前記プローブからの取り外しを容易にするための反発力を有する可撓性の下敷部材に重ね合わされて、その各放射端縁部の三点で前記プローブからの取り外し時においても接合状態を維持するように相互に接着されていることを特徴とする鼓膜温度計用検鏡カバー。
【請求項４】鼓膜温度計のプローブを覆うためのフィルム部材が、前記プローブを挿通させるための開孔が中央に開設されて二方に延びる双葉状に形成され、かつ、前記プローブからの取り外しを容易にするための反発力を有する可撓性の下敷部材に重ね合わされて、その各放射端縁部の二点で前記プローブからの取り外し時においても接合状態を維持するように相互に接着されていることを特徴とする鼓膜温度計用検鏡カバー。
【請求項５】前記フィルム部材が透明であり、前記下敷部材が着色されていることを特徴とする鼓膜温度計用検鏡カバー。」
（３−２）引用刊行物記載の発明
　当審において通知した取消理由で引用した刊行物１（実願平２−９８４８５号（実開平４−５５３０６号）のマイクロフィルム）には、第６頁１８行〜第７頁２行、第７頁２〜６行、第７頁１２〜１８行、第７頁６〜１２行、第１、２図の記載からみて、
「放射温度計のプローブを覆うための赤外線透過フィルムが、前記プローブを挿通させるための穴部が中央に開設された下敷部材に重ね合わされて、その端縁部同士が、プローブの挿入時において剥がれるように接着されている放射温度計用プローブカバー」を構成とする発明が記載され、
　刊行物２（特表平４−５０２２０６号公報）には、第３頁左下欄１〜４行、第３頁左下欄１６〜１８行、第３頁右上欄２１行〜左下欄１行、第４頁右下欄２２行〜第５頁左上欄２行、第４頁右下欄３〜８行、第１〜３図の記載からみて、
「医療用検温計のプローブを覆うための伸縮性のプラスチック膜が、前記プローブを挿通させるための開口が中央に開設され、かつ、前記プローブの拡張部にはめ合いを可能にするための弾力性を有するベース層とプローブを挿通させるための放射状の目打ちが中央に設けられた紙層との間に重ね合わされて、互いが確実に保持されて積層している医療用検温計用プローブカバーアセンブリ」を構成とする発明が記載され、
　刊行物３（欧州特許出願公開第４４５７８４号明細書（１９９１））には、第６欄２６〜３０行、第６欄３１〜３６行、第６欄４〜１０行、第６欄１３〜１８行、第６欄２４〜２６行、第６欄３９〜４１行、第１、２、５図の記載からみて、
「赤外線温度計のプローブを覆うための延伸可能なプラスチックフィルムが、前記プローブを挿通させるための開口が中央に開設され、かつ、前記プローブのベース部分に嵌めるときに僅かに潰すことができるように変形可能な下敷部材に重ね合わされて、互いに接着されている赤外線温度計用プローブカバー」を構成とする発明が記載され、
　特願平３−６９２６６号（特開平５−２６１０７０号公報（刊行物４）参照）の願書に最初に添付した明細書又は図面（以下、「先願明細書４」という。）には、刊行物４の第６欄３６〜３９行、第６欄４０〜４６行、第６欄１６〜２２行、第６欄２５〜２９行、第７欄３４〜３６行、第６欄４７〜４９行、第１、２、５図の記載からみて、
「赤外線温度計のプローブを覆うための延伸可能なプラスチックフィルムが、前記プローブを挿通させるための開口が中央に開設され、かつ、前記プローブのベース部分に嵌めるときに僅かに潰すことができるように変形可能な下敷部材に重ね合わされて、互いに接着されている赤外線温度計用プローブカバー」を構成とする発明が記載され、
　国際出願第ＪＰ９３／００４０６号（国際公開第９３／１９６６２号パンフレット（１９９３）（刊行物５参照））（特願平５−５１７３０５号）の願書に最初に添付した明細書又は図面（以下、「先願明細書５」という。）には、刊行物５の第第１５頁７〜１０行、１６頁１５〜２１行、第２、３図の記載からみて、
「赤外線温度計のプローブを覆うための第２のフィルムが、前記プローブを挿通させるための開孔が中央に開設された可撓性の第２のフィルムに重ね合わされて、その端縁部同士が、前記プローブからの取り外し時においても接合状態を維持するように接着されている赤外線温度計用スペキュラムカバー」を構成とする発明が記載されている。
（３−３）対比・判断
（３−３−１）訂正発明１について
　訂正発明１と刊行物１ないし３に記載された発明とを対比すると、刊行物１ないし３のいずれにも、訂正発明１を特定するための事項である「プローブを挿通させるための開孔が中央に開設され、かつ、前記プローブからの取り外しを容易にするための反発力を有する可撓性の下敷部材」が記載されているものとは認められず、訂正発明１は刊行物１ないし３に記載された発明ではない。
　また、上記事項により、訂正発明１は、プローブの下敷部材開孔への挿入により端縁部がフィルム部材に引張られて内側に折り曲げられている検鏡カバーを取り外す際に、「検鏡カバーの下敷部材が可撓性であるため反発力によって簡単に取りはずすことができる」という特許明細書記載の顕著な効果を奏するものであり、訂正発明１は、刊行物１ないし３に記載された発明から当業者が容易に発明をすることができたものでもない。
　さらに、訂正発明１と先願明細書４または５に記載された発明とを対比すると、先願明細書４ないし５のいずれにも、訂正発明１を特定するための事項である「プローブを挿通させるための開孔が中央に開設され、かつ、前記プローブからの取り外しを容易にするための反発力を有する可撓性の下敷部材」が記載されているものとは認められず、訂正発明１は先願明細書４または５に記載された発明と同一ではない。
（３−３−２）訂正発明２ないし５について
　訂正発明２ないし５と刊行物１ないし３に記載された発明とを対比すると、刊行物１ないし３のいずれにも、訂正発明２ないし５を特定するための事項である「プローブを挿通させるための開孔が中央に開設され、かつ、前記プローブからの取り外しを容易にするための反発力を有する可撓性の下敷部材」の構成が記載されていない。そして、当該構成により、訂正発明２ないし５は、プローブの下敷部材開孔への挿入により端縁部がフィルム部材に引っ張られて内側に折り曲げられている検鏡カバーを取り外す際に、「検鏡カバーの下敷部材が可撓性であるため反発力によって簡単に取りはずすことができる」という特許明細書記載の顕著な効果を奏するものであり、訂正発明２ないし５は、刊行物１ないし３に記載された発明から当業者が容易に発明をすることができたものではない。
　したがって、本件訂正発明１ないし５は、特許出願の際独立して特許を受けることができるものである。
（４）むすび
　以上のとおりであるから、上記訂正は、平成６年改正法附則第６条第１項の規定によりなお従前の例によるとされる、特許法第１２０条の４第第３項において準用する平成６年改正法による改正前の特許法第１２６条第１項ただし書、第２項及び第３項の規定に適合するので、当該訂正を認める。
３．特許異議の申立てについて
（１）本件発明
　本件発明については、上記「２．（３−１）訂正明細書の発明」に記載されたとおりのものである。
（２）申立ての理由の概要
　申立人は、本件請求項１に係る発明についての特許に対して、証拠として甲第１号証（実願平２−９８４８５号（実開平４−５５３０６号）のマイクロフィルム）（上記刊行物１）、甲第２号証（特表平４−５０２２０６号公報）（上記刊行物２）、甲第３号証（欧州特許出願公開第４４５７８４号明細書（１９９１））（上記刊行物３）、甲第４号証（特開平５−２６１０７０号公報）（上記刊行物４）、甲第５号証（国際公開第９３／１９６６２号パンフレット（１９９３））（上記刊行物５）、甲第６号証（特願平４−７９５１５号（甲第５号証の優先権の基礎となる出願）明細書及び図面）を提出し、本件請求項１に係る発明の特許は、特許法第２９条第１項第３号の規定に違反してなされたものであり、または、特許法第２９条の２の規定に違反してなされたものであり、本件請求項２ないし５に係る発明の特許は、特許法第２９条第２項の規定に違反してなされたものであるので取り消すべき旨主張している。
（３）判断
　本件請求項１に係る発明は、上記「２．（３−３）対比・判断」で示したように、上記甲第１号証ないし３に記載された発明ではなく、また、上記甲第４号証又は５号証に示される先願の願書に最初に添付した明細書又は図面に記載された発明と同一ではない。また、本件請求項２ないし５に係る発明は、上記甲第１号証ないし甲第３号証に記載された発明から当業者が容易に発明をすることができたものではない。
　よって、本件特許が特許法第２９条第１項第３号、第２９条の２、または、第２９条第２項の規定に違反してなされたということはできない。
６．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成六年法律第百十六号）付則第十四条の規定に基づく、特許法等の一部を改正する法律の施行に伴う経過措置を定める政令（平成七年政令第二百五号）第四条第二項の規定により、上記のとおり決定する。
【異議決定日】
平成１２年７月２５日（２０００．７．２５）
【訂正の要旨】
　訂正の趣旨
ａ）特許明細書中の特許請求の範囲の請求項１において、「フィルム部材が、前記プローブを挿通させるための開孔が中央に開設されている可撓性の下敷部材に重ね合わされて、その端縁部同士が接着されている」とあるのを、「フィルム部材が、前記プローブを挿通させるための開孔が中央に開設され、かつ、前記プローブからの取り外しを容易にするための反発力を有する可撓性の下敷部材に重ね合わされて、その端縁部同士が、前記プローブからの取り外し時においても接合状態を維持するように接着されている」と訂正する。
ｂ）特許明細書中の特許請求の範囲の請求項２において、「フィルム部材が、前記プローブを挿通させるための開孔が中央に開設されて十字放射状に形成された可撓性の下敷部材に重ね合わされて、その各放射端縁部の四点で相互に接着されている」とあるのを、「フィルム部材が、前記プローブを挿通させるための開孔が中央に開設されて十字放射状に形成され、かつ、前記プローブからの取り外しを容易にするための反発力を有する可撓性の下敷部材に重ね合わされて、その各放射端縁部の四点で前記プローブからの取り外し時においても接合状態を維持するように相互に接着されている」と訂正する。
ｃ）特許明細書中の特許請求の範囲の請求項３において、「フィルム部材が、前記プローブを挿通させるための開孔が中央に開設されて三方に放射状に形成された可撓性の下敷部材に重ね合わされて、その各放射端縁部の三点で相互に接着されている」とあるのを、「フィルム部材が、前記プローブを挿通させるための開孔が中央に開設されて三方に放射状に形成され、かつ、前記プローブからの取り外しを容易にするための反発力を有する可撓性の下敷部材に重ね合わされて、その各放射端縁部の三点で前記プローブからの取り外し時においても接合状態を維持するように相互に接着されている」と訂正する。
ｄ）特許明細書中の特許請求の範囲の請求項４において、「フィルム部材が、前記プローブを挿通させるための開孔が中央に開設されて二方に延びる双葉伏に形成された可撓性の下敷部材に重ね合わされて、その各放射端縁部の二点で相互に接着されている」とあるのを、「フィルム部材が、前記プローブを挿通させるための開孔が中央に開設されて二方に延びる双葉状に形成され、かつ、前記プローブからの取り外しを容易にするための反発力を有する可撓性の下敷部材に重ね合わされて、その各放射端緑部の二点で前記プローブからの取り外し時においても接合状態を維持するように相互に接着されている」と訂正する。
ｅ）明細書の段落【０００９】中の「フィルム部材が、前記プローブを挿通させるための開孔が中央に開設されている可撓性の下敷部材に重ね合わされて、その端縁部同士が接着されている」とあるのを、「フィルム部材が、前記プローブを挿通させるための開孔が中央に開設され、かつ、前記プローブからの取り外しを容易にするための反発力を有する可撓性の下敷部材に重ね合わされて、その端縁部同士が、前記プローブからの取り外し時においても接合状態を維持するように接着されている」と訂正する。
ｆ）明細書の段落【００１０】中の「フィルム部材が、前記プローブを挿通させるための開孔が中央に開設されて十字放射状に形成された可撓性の下敷部材に重ね合わされて、その各放射端緑部の四点で相互に接着されている」とあるのを、「フィルム部材が、前記プローブを挿通させるための開孔が中央に開設されて十字放射状に形成され、かっ、前記プローブからの取り外しを容易にするための反発力を有する可撓性の下敷部材に重ね合わされて、その各放射端縁部の四点で前記プローブからの取り外し時においても接合状態を維持するように相互に接着されている」と訂正する。
ｇ）明細書の段落【００１１】中の「フィルム部材が、前記プローブを挿通させるための開孔が中央に開設されて三方に放射状に形成された可撓性の下敷部材に重ね合わされて、その各放射端縁部の三点で相互に接着されている」とあるのを、「フィルム部材が、前記プローブを挿通させるための開孔が中央に開設されて三方に放射状に形成され、かっ、前記プローブからの取り外しを容易にするための反発力を有する可撓性の下敷部材に重ね合わされて、その各放射端縁部の三点で前記プローブからの取り外し時においても接合状態を維持するように相互に接着されている」と訂正する。
ｈ）明細書の段落【００１２】中の「フィルム部材が、前記プローブを挿通させるための開孔が中央に開設されて二万に延びる双葉状に形成された可撓性の下敷部材に重ね合わされて、その各放射端縁部の二点で相互に接着されている」とあるのを、「フィルム部材が、前記プローブを挿通させるための開孔が中央に開設されて二万に延びる双葉状に形成され、かつ、前記プローブからの取り外しを容易にするための反発力を有する可撓性の下敷部材に重ね合わされて、その各放射端縁部の二点で前記プローブからの取り外し時においても接合状態を維持するように相互に接着されている」と訂正する。
ｉ）明細書の段落【００８１】中の「フィルム部材を、前記プローブを挿通させるための開孔が中央に開設されている可撓性の下敷部材に重ね合わせて、その端縁部同士を接着している」とあるのを、「フィルム部材を、前記プローブを挿通させるための開孔が中央に開設され、かつ、前記プローブからの取り外しを容易にするための反発力を有する可撓性の下敷部材に重ね合わせて、その端縁部同士を、前記プローブからの取り外し時においても接合状態を維持するように接着している」と訂正する。
（５４）【発明の名称】
鼓膜温度計用検鏡カバー
（５７）【特許請求の範囲】
　　【請求項１】　鼓膜温度計のプローブを覆うためのフィルム部材が、前記プローブを挿通させるための開孔が中央に開設され
、かつ、前記プローブからの取り外しを容易にするための反発力を有する
前記プローブからの取り外し時においても接合状態を維持するように
　　【請求項２】　鼓膜温度計のプローブを覆うためのフィルム部材が、前記プローブを挿通させるための開孔が中央に開設されて十字放射状に形成され
、かつ、前記プローブからの取り外しを容易にするための反発力を有する
前記プローブからの取り外し時においても接合状態を維持するように
　　【請求項３】　鼓膜温度計のプローブを覆うためのフィルム部材が、前記プローブを挿通させるための開孔が中央に開設されて三方に放射状に形成され
、かつ、前記プローブからの取り外しを容易にするための反発力を有する
前記プローブからの取り外し時においても接合状態を維持するように
　　【請求項４】　鼓膜温度計のプローブを覆うためのフィルム部材が、前記プローブを挿通させるための開孔が中央に開設されて二方に延びる双葉状に形成され
、かつ、前記プローブからの取り外しを容易にするための反発力を有する
前記プローブからの取り外し時においても接合状態を維持するように
　　【請求項５】　前記フィルム部材が透明であり、前記下敷部材が着色されていることを特徴とする請求項１ないし４のいずれかに記載の鼓膜温度計用検鏡カバー。
【発明の詳細な説明】
　　　【０００１】
　　【産業上の利用分野】
　本発明は、赤外線温度計を利用した鼓膜温度計に用いられる使い捨ての検鏡カバーに関する。
　　　【０００２】
　　【従来の技術】
　人体の体温を測る手段として従来より、所謂接触型の体温計が広く用いられているが、近年、これに代わるものとして、赤外線温度計を利用した鼓膜温度計が用いられるようになってきている。この鼓膜温度計は、検鏡を備えたプローブを耳孔内に挿入して、鼓膜や外耳道からの赤外線をセンサーで検出し、この赤外線の量に基づいて体温を測定するもので、３秒程度で体温を測定できる。
　　　【０００３】
　上記いずれの温度計においても、温度計と身体との接触が衛生的であることが要求されるが、特に、上記鼓膜温度計においては、そのプローブを耳孔内に挿入するものであるから、赤外線の透過部である検鏡が耳垢などで汚損されないようにすることが望ましい。それは、プローブの先端またはプローブ内に形成された検鏡に耳垢などが付着すると、赤外線の透過量が低下したり変動して、正確な温度測定が困難になるからである。
　　　【０００４】
　そこで、従来より、上記鼓膜温度計においては、検鏡を保護するために、使い捨ての検鏡カバーをプローブに被着している。図８は、従来の検鏡カバーを示すもので、同図（Ａ）に示す検鏡カバー３０は、ポリエチレン（ＰＥ）製のカバー体３１の先端にＰＥフィルム３２を熱融着してなるものであり（例えば特開昭６１−２６３４３８号公報参照）、また、同図（Ｂ）に示す検鏡カバー４０は、ＰＥなどよりなる枠体４１に、先端部ができるだけ平坦になるように袋状に形成されたＰＥフィルム４２を熱融着してなるものである（例えば特開平３−１３３４２５号公報参照）。
　　　【０００５】
　　【発明が解決しようとする課題】
　しかしながら、上記従来の検鏡カバー３０，４０はいずれも嵩張り、収納ケースもそれだけ大きなものを用意する必要があった。
　　　【０００６】
　そこで、フィルム部材を、プローブ挿通用の開孔を有する台紙に四隅を仮付け状態で貼り付け、これをフィルム部材を上面にして装着台に載せ、その開孔にプローブを挿入することによって、その仮付けを外しつつプローブにフィルム部材を被せるようにする検鏡カバーが考えられる。
　　　【０００７】
　しかし、この場合、四隅の仮付けが同時に均等に外れるようにするのがむつかしく、また、仮付けのための接着剤が不用意にあちこちに付着するなどの難点が懸念される。
　　　【０００８】
　本発明はこのような実情に鑑みてなされ、プローブに容易かつ確実に被覆させることのできる嵩張ることのない清潔な鼓膜温度計用検鏡カバーを提供することを目的としている。
　　　【０００９】
　　【課題を解決するための手段】
　本発明は上述の課題を解決するための手段を以下のように構成している。
　すなわち、第１の発明では、鼓膜温度計のプローブを覆うためのフィルム部材が、前記プローブを挿通させるための開孔が中央に開設され
、かつ、前記プローブからの取り外しを容易にするための反発力を有する
前記プローブからの取り外し時においても接合状
を維持するように
　　　【００１０】
　第２の発明では、鼓膜温度計のプローブを覆うためのフィルム部材が、前記プローブを挿通させるための開孔が中央に開設されて十字放射状に形成され
、かつ、前記プローブからの取り外しを容易にするための反発力を有する
前記プローブからの取り外し時においても接合状態を維持するように
　　　【００１１】
　第３の発明では、鼓膜温度計のプローブを覆うためのフィルム部材が、前記プローブを挿通させるための開孔が中央に開設されて三方に放射状に形成され
、かつ、前記プローブからの取り外しを容易にするための反発力を有する
前記プローブからの取り外し時においても接合状態を維持するように
　　　【００１２】
　第４の発明では、鼓膜温度計のプローブを覆うためのフィルム部材が、前記プローブを挿通させるための開孔が中央に開設されて二方に延びる双葉状に形成され
、かつ、前記プローブからの取り外しを容易にするための反発力を有する
前記プローブからの取り外し時においても接合状態を維持するように
　　　【００１３】
　第５の発明では、前記フィルム部材が透明であり、前記下敷部材が着色されていることを特徴としている。
　　　【００１４】
　　【作用】
　第１の発明では、装着台上にフィルム部材を上面にして鼓膜温度計用検鏡カバーを載せ、下敷部材の中央に開設された開孔にプローブを挿し込んで押し下げると、プローブがフィルム部材によって被覆されつつ下敷部材の開孔から下方に抜け出るとともに、下敷部材の端縁部がフィルム部材に引っ張られて内側に折り曲げられ、その下敷部材の開孔にプローブがきっちりと嵌まり込み、フィルム部材によってプローブが安定に被覆された状態に保持される。
　　　【００１５】
　このようにフィルム部材がプローブに被覆された状態では、下敷部材の端縁部が内側に折り曲げられているので、プローブの視認性が良好となり、耳孔内にプロープを容易に挿し込むことができる。
　　　【００１６】
　また、プローブから検鏡カバーを取り外す際には、下敷部材の可撓性による反発力によって容易に取り外すことが可能である。
　　　【００１７】
　第２の発明では、下敷部材を十字放射状に形成していることから、同じ可撓性を確保した上、下敷部材の厚みを増せるので、プローブヘの装着状態が安定化する。
　　　【００１８】
　第３の発明では、下敷部材を三方に放射状に形成していることから、さらに折り曲げ容易となる。
　　　【００１９】
　第４の発明では、下敷部材を二方に延びる双葉状に形成しているので、部材を節約することができる。
　　　【００２０】
　第５の発明では、下敷部材に着色したことにより、表裏の判別と開孔の確認を容易におこなうことができる。
　　　【００２１】
　　【実施例】
　以下に本発明の実施例を図面に基づいて詳細に説明する。
　図１は第１の実施例を示し、その鼓膜温度計用検鏡カバー（以下検鏡カバーという）１は、鼓膜温度計２（図２参照）のプローブ３を覆うためのフィルム部材４が、中央にプローブ３を挿通させるための開孔６が開設されている可撓性の下敷部材５に重ね合わされて、その端縁部の四点７，…で相互に熱溶着されて正方形状に形成されている。
　　　【００２２】
　そのフィルム部材４は赤外線透過性に優れた透明のポリエチレンフィルムまたはポリプロピレンフィルム等の厚さ１０〜２０μｍ程度のもの、また、下敷部材５は同様の材質で着色を施した厚さ１００〜２００μｍ程度のものがそれぞれ採用され、重ね合わされた状態では薄くて嵩張らないものとなっている。その下敷部材５に着色を施したことにより、開孔６の位置と、表裏を明確に確認することができ、装着時の作業性を一段と向上させることができる。
　　　【００２３】
　このような検鏡カバー１を鼓膜温度計２のプローブ３に装着するには（図２参照）、中央にプローブ３を挿通させる受孔９が開設されている装着台８の上に、その受孔９と開孔６とを対応させてフィルム部材４を上面にして検鏡カバー１を乗載させ、その開孔６にプローブ３を上方から挿し込んで押し下げると、プローブ３がフィルム部材４によって被覆されつつ下敷部材５の開孔６から下方に抜け出るとともに、下敷部材５の端縁の四点７，…がフィルム部材４に引っ張られて内側に折り曲げられ、プローブ３の基部に形成した周溝３ａ（図２参照）に下敷部材５の開孔６がきっちりと嵌まり込む。これにより、プローブ３がフィルム部材４によって被覆され、かつ下敷部材５によってその被覆状態が安定に保持され、プローブ３を引き上げると、被覆状態がそのまま維持されており、測温可能な装着状態となっている。
　　　【００２４】
　このような装着状態では、正方形の下敷部材５の各端縁が内側に折り曲げられているので、図３に示すように、プローブ３の視認性が良好となり、耳孔１０内にそのプローブ３を容易に挿し込むことができる。
　　　【００２５】
　耳孔１０内に挿し込まれた状態では、そのプローブ３はフィルム部材４で被覆されていることから、直接耳孔１０に接することはなく清潔度が保たれ、そのフィルム部材４を通して赤外線のみをプローブ３内に導入して直ちに体温の測定ができる。従って、そのフィルム部材４を逐一取り替えることによって常に清潔な体温測定を能率よくおこなうことができる。なお、検鏡カバー１を取り外すには、プローブ３に被嵌しているリング状の受座２ａ（図２参照）をレバー操作等で押し出す。このとき、検鏡カバーの下敷部材が可撓性であるため反発力によって簡単に取り外すことができる。
　　　【００２６】
　このような検鏡カバー１は、例えば図４に示すように、開孔６，…を所定間隔に開設した帯状の下敷部材５に、同じ帯状のフィルム部材４を重ね合わせて×印箇所をそれぞれ熱溶着した後、二点鎖線で示す箇所を切断することにより容易に得ることができる。なお、二点鎖線で示す箇所にミシン目を入れておき、切り放し容易にしておいてもよい。
　　　【００２７】
　図５は第２の実施例を示し、下敷部材５を十字放射状に延びる四葉状に形成して装着時にその枝葉部分５ａ，…で容易に折り曲げられるようにし、装着作業性を向上させている。また、折り曲げがより容易となるので下敷部材５を例えば２００μｍ程度の厚さにすれば、開孔６をプローブ３の周溝３ａに対してより安定にしっかりと嵌め込め、かつ、フィルム部材４をプローブ３に対して充分な張りをもたせて被覆させることができる。なお、二点鎖線で示すような把持部５ｂを下敷部材５に突設形成し、フィルム部材４に触れずに装着できるようにしてもよい。
　　　【００２８】
　図６は第３の実施例を示し、下敷部材５を三方に放射状に延びる三葉状に形成したもので、さらに折り曲げ易くなる。なお、この場合、フィルム部材４は正三角形状に形成している。
　　　【００２９】
　図７は第４の実施例を示し、下敷部材５を二方に延びる双葉状に形成しているので、部材を節約することができ、コストの低減化を図ることができる。
　　　【００３０】
　なお、上述の各実施例における下敷部材５は紙等でもよく、可撓性の薄もの部材であれば適宜採用できることはいうまでもない。
　　　【００３１】
　　【発明の効果】
　以上説明したように、第１の発明によれば、鼓膜温度計のプローブを覆うためのフィルム部材を、前記プローブを挿通させるための開孔が中央に開設され
、かつ、前記プローブからの取り外しを容易にするための反発力を有する
前記プローブからの取り外し時においても接合状態を維持するように
　　　【００３２】
　第２の発明では、下敷部材を十字放射状に形成していることから、可撓性を確保した上、装着時の作業性が向上し、かつ下敷部材の厚みを増せるので、プローブヘの装着状態が安定化する。
　　　【００３３】
　第３の発明では、下敷部材を三方に放射状に形成しているので、さらに折り曲げ容易となり、装着作業性が向上する。
　　　【００３４】
　第４の発明では、下敷部材を二方に延びる双葉状に形成しているので、部材を節約することができ、コストの低減化を図ることができる。
　　　【００３５】
　第５の発明では、下敷部材に着色を施したことによって、表裏の判別と開孔の確認とを容易におこなうことができ、装着時の取り扱いが容易となる。
【図面の簡単な説明】
　　【図１】
　第１の発明の鼓膜温度計用検鏡カバーの一実施例を示す平面図である。
　　【図２】
　同装着時の説明図である。
　　【図３】
　同耳孔内への挿入時の説明図である。
　　【図４】
　同製作工程の説明図である。
　　【図５】
　第２の発明の鼓膜温度計用検鏡カバーの一実施例を示す平面図である。
　　【図６】
　第３の発明の鼓膜温度計用検鏡カバーの一実施例を示す平面図である。
　　【図７】
　第４の発明の鼓膜温度計用検鏡カバーの一実施例を示す平面図である。
　　【図８】
　（Ａ）は従来の検鏡カバーの一例を示す断面図、（Ｂ）は別の例を示す断面図である。
　　【符号の説明】
　１…鼓膜温度計用検鏡カバー、２…鼓膜温度計、３…プローブ、４…フィルム部材、５…下敷部材、６…開孔。